(57)【要約】【課題】コンテンツを受信しているときであっても、表示されているコンテンツの品質は維持できるようなコンテンツ表示装置等を提供すること。【解決手段】コンテンツを配信するサーバ装置と、前記コンテンツを表示可能な表示装置と、前記サーバ装置から受信された前記コンテンツを前記表示装置に表示制御する表示制御装置と、を備えたコンテンツ配信システムにおいて、前記表示制御装置が前記サーバ装置からコンテンツを受信する場合、前記表示装置は代替コンテンツを表示する。【選択図】図１
2019040360.tif 000002
【特許請求の範囲】
【請求項１】
コンテンツを配信するサーバ装置と、前記コンテンツを表示可能な表示装置と、前記サーバ装置から受信された前記コンテンツを前記表示装置に表示制御する表示制御装置と、を備えたコンテンツ配信システムにおいて、
前記サーバ装置は、
前記表示制御装置に前記コンテンツを配信する場合には、前記表示装置に対して表示要求を送信する表示要求送信手段と、
前記表示要求を送信した後に、前記コンテンツを前記表示制御装置に配信するコンテンツ配信手段と、
を備え、
前記表示装置は、
前記コンテンツに変えて表示する代替コンテンツを記憶する代替コンテンツ記憶手段と、
前記サーバ装置から前記表示要求を受信した場合に、前記代替コンテンツを表示する代替コンテンツ表示手段と、
を備えることを特徴とするコンテンツ配信システム。
【請求項２】
前記表示制御装置は、前記サーバ装置から配信されたコンテンツを受信する場合には、前記コンテンツの出力を停止した後、前記コンテンツを受信することを特徴とする請求項１に記載のコンテンツ配信システム。
【請求項３】
前記サーバ装置は、前記コンテンツの表示スケジュールも併せて配信し、
前記表示制御装置は、前記サーバ装置から受信された表示スケジュールに従ってコンテンツを前記表示装置に出力することを特徴とする請求項１又は２に記載のコンテンツ配信システム。
【請求項４】
前記表示制御装置は、前記コンテンツの受信を完了した場合には、前記サーバ装置に完了通知を送信してから、前記表示装置にコンテンツを出力し、
前記サーバ装置は、前記表示制御装置から前記完了通知を受信した場合には、前記表示装置に表示停止要求を送信し、
前記表示装置は、前記表示停止要求を受信した場合には、前記代替コンテンツの表示を停止し、前記コンテンツの表示を行う、
ことを特徴とする請求項１から３の何れか一項に記載のコンテンツ配信システム。
【請求項５】
コンテンツを配信するサーバ装置と、前記コンテンツを表示可能な表示装置と、前記サーバ装置から受信された前記コンテンツを前記表示装置に表示制御する表示制御装置と、を備えたコンテンツ配信システムにおいて、
前記表示制御装置は、
前記サーバ装置から、前記コンテンツを受信する場合には、前記表示装置に対して表示要求を送信する表示要求送信手段と、
前記表示要求を送信した後に、前記コンテンツを前記サーバ装置からコンテンツを受信するコンテンツ受信手段と、
を備え、
前記表示装置は、
前記コンテンツに変えて表示する代替コンテンツを記憶する代替コンテンツ記憶手段と、
前記表示制御装置から前記表示要求を受信した場合に、前記代替コンテンツを表示する代替コンテンツ表示手段と、
を備えることを特徴とするコンテンツ配信システム。
【請求項６】
前記表示制御装置は、
前記コンテンツの受信を完了した場合には、前記サーバ装置に完了通知を送信してから、前記表示装置に表示停止要求を送信し、
前記表示装置は、前記表示停止要求を受信した場合には、前記代替コンテンツの表示を停止し、前記コンテンツの表示を行う、
ことを特徴とする請求項５に記載のコンテンツ配信システム。
【請求項７】
第１のコンテンツを配信するサーバ装置と、前記第１のコンテンツを表示装置に表示制御する表示制御装置と、を備えたコンテンツ配信システムにおいて、
前記表示装置は、予め記憶している第２のコンテンツを表示可能であって、
前記サーバ装置から、前記表示制御装置に前記コンテンツが配信される場合は、前記表示装置は、前記第２のコンテンツを表示する、
ことを特徴とするコンテンツ配信システム。
【発明の詳細な説明】
【技術分野】
【０００１】
本発明は、コンテンツ配信システムに関する。
【背景技術】
【０００２】
近年、駅の構内や、ショッピングセンターといった人の多いところに、表示装置を配置し、そこに広告等のコンテンツを表示するコンテンツ表示装置として、いわゆるデジタルサイネージが普及している（例えば、特許文献１参照）。
【０００３】
デジタルサイネージにおいては、表示装置を設置した後、当該表示装置を管理するサーバから、コンテンツの配信を受けることにより、当該配信されたコンテンツを表示装置で表示することが一般的に行われている。
【０００４】
また、デジタルサイネージ装置でコンテンツが適切に表示されるように、種々の工夫がなされている。例えば、特許文献１には、画像表示装置に、ネットワークを介してＷｅｂコンテンツデータを取得するネットワークＩ／Ｆと、Ｗｅｂコンテンツデータを記憶するための外部メモリと接続可能に構成されかつ接続された外部メモリからＷｅｂコンテンツデータを取得する外部メモリＩ／Ｆとを備えている。さらに画像表示装置は、ネットワークＩ／Ｆを介して取得したＷｅｂコンテンツデータと、外部メモリＩ／Ｆを介して取得したＷｅｂコンテンツデータのうちの一方を選択するＷｅｂコンテンツ選択部と、Ｗｅｂコンテンツ選択部が選択したＷｅｂコンテンツデータを解釈し描画するＷｅｂブラウザと、Ｗｅｂブラウザが描画した描画データを表示する表示部である表示パネルとを備えることで、ネットワークの障害が発生した場合にも画像表示を継続できる技術が開示されている。
【先行技術文献】
【特許文献】
【０００５】
【特許文献１】特開２０１５−３５０３８号公報
【発明の概要】
【発明が解決しようとする課題】
【０００６】
上述したデジタルサイネージにおいて利用されるコンテンツ配信システムにおいて、表示装置がコンテンツを表示しているときに、コンテンツの配信を受けると、表示装置が処理すべきジョブが多くなり、コンテンツの表示が乱れたり、止まってしまったりするなどの表示上の不具合を引き起こすことがあった。
【０００７】
特に、一般的にデータ量が多い動画コンテンツファイルの読み出しと、書き込みとが同時に行われると、コンテンツの表示が乱れたり、止まってしまったりするなどの表示上の不具合を引き起こす可能性がある。このような、デジタルサイネージとしての品質を維持できない不具合が発生すると、デジタルサイネージの信頼性が損なわれてしまうという問題点があった。
【０００８】
上記事情に鑑み、本発明は、コンテンツを受信しているときであっても、表示されているコンテンツの品質は維持できるようなコンテンツ表示装置等を提供することを目的としている。
【課題を解決するための手段】
【０００９】
上述した課題を解決するために、本発明のコンテンツ配信システムは、
コンテンツを配信するサーバ装置と、前記コンテンツを表示可能な表示装置と、前記サーバ装置から受信された前記コンテンツを前記表示装置に表示制御する表示制御装置と、を備えたコンテンツ配信システムにおいて、
前記サーバ装置は、
前記表示制御装置に前記コンテンツを配信する場合には、前記表示装置に対して表示要求を送信する表示要求送信手段と、
前記表示要求を送信した後に、前記コンテンツを前記表示制御装置に配信するコンテンツ配信手段と、
を備え、
前記表示装置は、
前記コンテンツに変えて表示する代替コンテンツを記憶する代替コンテンツ記憶手段と、
前記サーバ装置から前記表示要求を受信した場合に、前記代替コンテンツを表示する代替コンテンツ表示手段と、
を備えることを特徴とする。
【００１０】
本発明のコンテンツ配信システムは、
コンテンツを配信するサーバ装置と、前記コンテンツを表示可能な表示装置と 、前記サーバ装置から受信された前記コンテンツを前記表示装置に表示制御する表示制御装置と、を備えたコンテンツ配信システムにおいて、
前記表示制御装置は、
前記サーバ装置から、前記コンテンツを受信する場合には、前記表示装置に対して表示要求を送信する表示要求送信手段と、
前記表示要求を送信した後に、前記コンテンツを前記サーバ装置からコンテンツを受信するコンテンツ受信手段と、
を備え、
前記表示装置は、
前記コンテンツに変えて表示する代替コンテンツを記憶する代替コンテンツ記憶手段と、
前記表示制御装置から前記表示要求を受信した場合に、前記代替コンテンツを表示する代替コンテンツ表示手段と、
を備えることを特徴とする。
【００１１】
本発明のコンテンツ配信システムは、
第１のコンテンツを配信するサーバ装置と、前記第１のコンテンツを表示装置に表示制御する表示制御装置と、を備えたコンテンツ配信システムにおいて、
前記表示装置は、予め記憶している第２のコンテンツを表示可能であって、
前記サーバ装置から、前記表示制御装置に前記コンテンツが配信される場合は、前記表示装置は、前記第２のコンテンツを表示する、
ことを特徴とする。
【発明の効果】
【００１２】
本発明によれば、コンテンツを配信するサーバ装置と、前記コンテンツを表示可能な表示装置と、前記サーバ装置から受信された前記コンテンツを前記表示装置に表示制御する表示制御装置と、を備えたコンテンツ配信システムにおいて、表示制御装置がサーバ装置からコンテンツを受信する場合、表示装置は代替コンテンツを表示することとなる。したがって、表示制御装置がコンテンツを受信することで表示装置に対して適切な表示制御ができない場合であっても、表示装置は代替コンテンツを表示することにより、表示装置に表示されるコンテンツの品質を維持することができる。
【図面の簡単な説明】
【００１３】
【図１】第１実施形態におけるサイネージシステムの概要を説明するための図である。
【図２】第１実施形態における基本的な概念を説明するための図である。
【図３】第１実施形態における管理サーバ装置の機能構成を説明するための図である。
【図４】第１実施形態における制御装置の機能構成を説明するための図である。
【図５】第１実施形態における表示装置の機能構成を説明するための図である。
【図６】第１実施形態における管理サーバ装置と、制御装置と、表示装置とのシーケンス図である。
【図７】第１実施形態における管理サーバ装置のメイン処理を説明するための動作フローである。
【図８】第１実施形態における管理サーバ装置のメイン処理を説明するための動作フローである。
【図９】第１実施形態における制御装置のメイン処理を説明するための動作フローである。
【図１０】第１実施形態における表示装置のメイン処理を説明するための動作フローである。
【図１１】第２実施形態における管理サーバ装置と、制御装置と、表示装置とのシーケンス図である。
【図１２】第２実施形態における管理サーバ装置のメイン処理を説明するための動作フローである。
【図１３】第２実施形態における制御装置のメイン処理を説明するための動作フローである。
【図１４】第２実施形態における制御装置のメイン処理を説明するための動作フローである。
【図１５】第２実施形態における表示装置のメイン処理を説明するための動作フローである。
【図１６】第２実施形態における表示装置のメイン処理を説明するための動作フローである。
【図１７】第３実施形態における管理サーバ装置と、制御装置と、表示装置とのシーケンス図である。
【図１８】第４実施形態における管理サーバ装置と、制御装置と、表示装置とのシーケンス図である。
【図１９】第５実施形態における管理サーバ装置と、制御装置と、表示装置とのシーケンス図である。
【発明を実施するための形態】
【００１４】
以下、本発明の実施の形態について、図面を参照して説明する。なお、本実施形態では、本発明におけるコンテンツ表示装置を含むコンテンツ表示システムの一例として、サイネージシステムについて説明する。
【００１５】
［１．第１実施形態］
［１．１  全体構成］
まず、本実施形態のサイネージシステム１の全体構成について、図１に基づいて説明する。図１に示すように、サイネージシステム１には、管理サーバ装置１０に、制御装置２０と、表示装置３０とが、ネットワークＮＷを介して接続されている。
【００１６】
図１においては、管理サーバ装置１０と、制御装置２０と、表示装置３０とが、ＬＡＮ（Local Area Network）を介して同一のネットワークで接続されていることとして図示しているが、これ以外の接続構成としてもよい。例えば、管理サーバ１０と、制御装置２０及び表示装置３０とは、インターネット等の外部ネットワークを介して接続されても良い。また、ＬＡＮの代わりに他の通信可能な手段（例えば、ＲＳ−２３２Ｃ等のシリアルインターフェイス）によって管理サーバ装置１０と、制御装置２０と、表示装置３０とが接続されてもよい。
【００１７】
管理サーバ装置１０は、制御装置２０及び表示装置３０に配信するコンテンツを管理したり、配信したりするコンテンツ管理サーバである。管理サーバ１０は、例えばサイネージシステムの管理者や、広告主など、コンテンツの配信をしたい人が利用してもよい。
【００１８】
制御装置２０は、管理サーバ装置１０から受信したコンテンツを映像信号として表示装置３０に出力する装置である。また、表示装置３０コンテンツの出力を行う装置である。制御装置２０及び表示装置３０はネットワーク上に１又は複数台接続可能である。
【００１９】
［１．２  本実施形態の概念説明］
まず、本実施形態の基本的な概念について、図２に基づいて説明する。図２は、ホスト用のサイネージソフトが動作する管理サーバＥ１００と、クライアント用のサイネージソフトが動作するＰＣ／コントローラＥ１１０と、ディスプレイＥ１２０とが接続されている状態を示している。ここで、管理サーバＥ１００をサイネージ管理システムといってもよく、ＰＣ／コントローラＥ１１０とディスプレイＥ１２０とを含んだものを表示システムといってもよい。
【００２０】
管理サーバＥ１００は、表示システムで表示するコンテンツを管理し、配信を行う装置である。また、ＰＣ／コントローラＥ１１０は、管理サーバＥ１００から配信されたコンテンツに基づき、映像信号を出力する装置である。ＰＣ／コントローラＥ１１０は、パーソナルコンピュータ（ＰＣ）を制御装置として利用してもよいし、表示する機能に特化したコントローラを制御装置として利用してもよい。
【００２１】
また、ＰＣ／コントローラＥ１１０と、ディスプレイＥ１２０とは、例えばＨＤＭＩ（登録商標）（High-Definition Multimedia Interface）や、コンポジット、ディスプレイポートや、ＵＳＢ等の方式により接続される。
【００２２】
ディスプレイＥ１２０は、入出力制御部Ｅ１２２と、表示部Ｅ１２４と、音声出力部Ｅ１２６と、簡易再生部Ｅ１２８とを備え、簡易再生部Ｅ１２８はさらにメモリＥ１３０を備える。また、入出力制御部Ｅ１２２には、ＰＣ／コントローラＥ１１０から出力されたコンテンツ（映像コンテンツ）と、簡易再生部Ｅ１２８から出力されたコンテンツとが入力される。
【００２３】
ここで、ＰＣ／コントローラＥ１１０から出力されるコンテンツ（第１のコンテンツ）が、表示部Ｅ１２４、音声出力部Ｅ１２６において通常出力されるコンテンツである。一般的には、スケジュールデータに関連づけられている。例えば、出力される時刻、回数等のスケジュールに関するスケジュール情報や、表示枠等に関する番組情報に関連づけられている。そして、スケジュールデータにしたがって、コンテンツは表示される。
【００２４】
他方、簡易再生部Ｅ１２８から出力されるコンテンツ（第２のコンテンツ）は、上述したスケジュールデータに関連づけられていないコンテンツである。すなわち、スケジュールデータに記憶されている内容にかかわらず、出力可能なコンテンツである。本明細書では、代替コンテンツと記載されたりする。
【００２５】
簡易再生部Ｅ１２８は、メモリＥ１３０に記憶されたコンテンツを出力する機能部である。また、入出力制御部Ｅ１２２とＬＡＮで接続されており、簡易再生部Ｅ１２８は入出力制御部Ｅ１２２を介してＬＡＮによって外部の機器と接続が可能である。これにより、簡易再生部Ｅ１２８は外部の機器からの制御情報等の情報を受信したり、外部の機器から配信されるコンテンツをメモリＥ１３０に記憶したりすることが可能である。
【００２６】
簡易再生部Ｅ１２８は、ディスプレイＥ１２０に内蔵されている機能部であってもよいし、拡張ボード等により追加される機能で有ってもよい。また、入出力ＩＦに介して接続される再生装置や、ソフトウェアによって実現されるものであってもよい。
【００２７】
入出力制御部Ｅ１２２は、ＰＣ／コントローラＥ１１０から入力されたコンテンツと、簡易再生部Ｅ１２８から入力されたコンテンツのうち、１のコンテンツを選択し、出力する制御を行う機能部である。本実施形態においては、コンテンツから、映像信号と、音声信号とを分離して映像信号を表示部Ｅ１２４に、音声信号を音声出力部Ｅ１２６に出力する。なお、映像信号と、音声信号とが直接入出力制御部Ｅ１２２に入力されてもよい。
【００２８】
また、入出力制御部Ｅ１２２は、ＬＡＮを介して外部からの制御信号を受信する。受信した制御信号に基づき、ＰＣ／コントローラＥ１１０から出力されたコンテンツと、簡易再生部Ｅ１２８から出力されたコンテンツ（代替コンテンツ）とのいずれか一方のコンテンツを選択する。
【００２９】
このような構成とすることで、ディスプレイＥ１２０はＰＣ／コントローラＥ１１０からのコンテンツと、簡易再生部Ｅ１２８からのコンテンツとのいずれか一方のコンテンツを選択し、表示部Ｅ１２４及び音声出力部Ｅ１２６からコンテンツを出力することが可能である。
【００３０】
［１．３  機能構成］
つづいて、管理サーバ装置１０と、制御装置２０と、表示装置３０との機能構成について説明する。
【００３１】
［１．３．１  管理サーバ装置］
管理サーバ装置１０について、図３に基づいて説明する。管理サーバ装置１０は、制御部１１０と、通信部１２０と、記憶部１３０とを備えて構成されている。
【００３２】
制御部１１０は、管理サーバ装置１０の全体を制御するための機能部である。制御部１１０は、記憶部１３０に記憶されている各種プログラムを読み出して実行することにより各種機能を実現しており、例えばＣＰＵ（Central Processing Unit）等により構成されている。
【００３３】
通信部１２０は、他の装置である制御装置２０や、表示装置３０と通信を行うための機能部である。例えば、有線ＬＡＮにより通信可能な機能部であったり、無線ＬＡＮにより通信可能な機能部であったりする。通信方式としては、Ｅｔｈｅｒｎｅｔ（登録商標）やＩＥＥＥ８０２．１１ａ／ｂ／ｇ／ｎであってもよい。
【００３４】
記憶部１３０は、管理サーバ装置１０の動作に必要な各種プログラムや、各種データが記憶されている機能部である。記憶部１３０は、例えば、半導体メモリであるＳＳＤ（Solid State Drive）や、ＨＤＤ（Hard Disk Drive）等により構成されている。
【００３５】
ここで、記憶部１３０には、第１のコンテンツとしてコンテンツを格納するコンテンツ格納領域１３２と、第２のコンテンツである代替コンテンツを格納する代替コンテンツ格納領域１３４の領域とが確保されている。また、プログラムとして、コンテンツ配信プログラム１３６が記憶されている。
【００３６】
コンテンツ格納領域１３２は、制御装置２０に配信する広告等のコンテンツが格納される。また、コンテンツにはスケジュールデータ及びその他の表示に関する表示情報を含めてもよい。
【００３７】
代替コンテンツ格納領域１３４は、表示装置３０に配信する広告等のコンテンツが格納される。また、代替コンテンツにはスケジュールデータ及びその他の表示に関する表示情報を含めてもよい。
【００３８】
ここで、コンテンツとは、表示装置３０で表示・出力可能なデータであり、例えば動画、静止画、テキスト、音声等を含むものである。動画としては、ｍｐｇファイル、ｗｍｖファイル、ａｖｉファイル、フラッシュファイル等により表されるものだけでなく、ＨＴＭＬ５で表される動的コンテンツも含まれる。また、静止画としては、ｊｐｇ、ｇｉｆ、ＰＮＧといった静止画ファイルだけでなく、ＰＤＦ（Portable Document Format）や、ＨＴＭＬファイルとったコンテンツも含まれる。更に、テキスト（文字、記号、数字等）で表された文字列（テキストファイル）や、音声（例えば、ｍｐ３やｗａｖファイル等）ファイルに基づいて出力されるものが含まれる。
【００３９】
また、スケジュールデータとは、上述したコンテンツを、表示装置３０で表示する日時、時間、曜日等を指定出来るものである。また、表示情報とは、コンテンツに基づいて構成される番組に関する表示の情報であり、例えばコンテンツを表示する時間（例えば１コンテンツにつきＸ秒表示させるといった指定）や、表示レイアウトに関する情報等が含まれるとする。
【００４０】
コンテンツ配信プログラム１３６は、制御部１１０が読み出して実行することによりコンテンツ配信機能が実現される。
【００４１】
［１．３．２  制御装置］
制御装置２０について、図４に基づいて説明する。制御装置２０は、制御部２１０と、通信部２２０と、映像出力部２３０と、記憶部２４０とを備えて構成されている。
【００４２】
制御部２１０は、制御装置２０の全体を制御するための機能部である。制御部２１０は、記憶部２４０に記憶されている各種プログラムを読み出して実行することにより各種機能を実現しており、例えばＣＰＵ（Central Processing Unit）等により構成されている。
【００４３】
通信部２２０は、他の装置と通信を行うための機能部である。例えば、有線ＬＡＮにより通信可能な機能部であったり、無線ＬＡＮにより通信可能な機能部であったりする。通信方式としては、Ｅｔｈｅｒｎｅｔ（登録商標）やＩＥＥＥ８０２．１１ａ／ｂ／ｇ／ｎであってもよい。本実施形態では、コンテンツの配信や、制御装置２０又は表示装置３０に対する制御信号の送信及び応答信号の受信に、通信部２２０を用いる。
【００４４】
映像出力部２３０は、後述するコンテンツ格納領域２４２に記憶されているコンテンツを読み出して表示装置３０に出力する機能部である。なお、表示装置３０とは、例えば、ＨＤＭＩや、コンポジット、ディスプレイポート、ＵＳＢ  ＴｙｐｅＣ等の何れかの方式で接続される。また、コンポジットで接続された場合等、映像信号と音声信号とを別に接続してもよい。
【００４５】
記憶部２４０は、制御装置２０の動作に必要な各種プログラムや、各種データが記憶されている機能部である。記憶部２４０は、例えば、半導体メモリであるＳＳＤや、ＨＤＤ（Hard Disk Drive）等により構成されている。
【００４６】
ここで、記憶部２４０には、コンテンツを格納するコンテンツ格納領域２４２の領域が確保されている。また、コンテンツ出力プログラム２４４が記憶されている。
【００４７】
コンテンツ格納領域２４２は、管理サーバ装置１０から配信された広告等のコンテンツ（第１のコンテンツ）が格納される。コンテンツ出力プログラム２４４は、制御部２１０が読み出して実行することによりコンテンツ出力処理が実現される。
【００４８】
［１．３．３  表示装置］
表示装置３０について、図５に基づいて説明する。表示装置３０は、制御部３１０と、通信部３２０と、表示部３３０と、音声出力部３４０と、映像入力部３５０と、入力切替部３６０と、簡易再生部３７０と、記憶部３８０とを備えて構成されている。
【００４９】
制御部３１０は、表示装置３０の全体を制御するための機能部であり、例えばＣＰＵ（Central Processing Unit）等により構成されている。
【００５０】
通信部３２０は、他の装置と通信を行うための機能部である。例えば、有線ＬＡＮにより通信可能な機能部であったり、無線ＬＡＮにより通信可能な機能部であったりする。通信方式としては、Ｅｔｈｅｒｎｅｔ（登録商標）やＩＥＥＥ８０２．１１ａ／ｂ／ｇ／ｎであってもよい。本実施形態では、コンテンツの受信や、制御信号の受信及び応答信号の送信に、通信部３２０を用いる。
【００５１】
表示部３３０は、コンテンツを表示するための機能部である。例えば、ＬＣＤ（Liquid Crystal Display）や、有機ＥＬ(OLED)ディスプレイといった表示装置や、プロジェクタといった照射装置等により構成されている。
【００５２】
音声出力部３４０は、コンテンツに含まれる音声を出力するための機能部である。例えば、スピーカ等により構成されている。
【００５３】
映像入力部３５０は、外部の機器等から出力されたコンテンツを、表示装置３０に入力するための機能部である。本実施形態では、制御装置２０から出力されたコンテンツが入力される。なお、表示装置３０とは、例えば、ＨＤＭＩや、コンポジット接続、ディスプレイポート、ＵＳＢ  ＴｙｐｅＣ等の何れかの方式で接続される。
【００５４】
入力切替部３６０は、入力されるコンテンツを切り替えて出力する機能部である。本実施形態では、映像入力部３５０から出力されたコンテンツが入力され、後述する簡易再生部３７０から出力されたコンテンツが入力される。そして、そのどちらか一方のコンテンツに切り替えて出力する。ここで、コンテンツから映像信号と音声信号とが抽出され、表示部３３０に映像信号として、音声出力部３４０に音声信号として出力される。
【００５５】
簡易再生部３７０は、後述する代替コンテンツ格納領域３８２に格納された代替コンテンツを読み出し、読み出された代替コンテンツを入力切替部３６０に出力する機能部である。
【００５６】
簡易再生部３７０は、表示装置３０が予め有している簡易的な再生機能であってもよいし、後付けで拡張される再生機能で有ってもよい。後付けで拡張される場合は、例えば専用の拡張ボードが搭載されたり、ＨＤＭＩや、ＵＳＢに接続される簡易再生装置によって実現されたりしてもよい。簡易再生装置としては、Android、iOS、Windows Embedded、TRONといったＯＳを搭載したものに、再生機能を実装したものや、専用の再生機能のアプリケーションが組み込まれたものであってもよい。
【００５７】
この簡易再生機能は、例えば、コンテンツが格納されたＵＳＢメモリや、ＳＤカードが接続されることで、格納されているコンテンツを表示することができる。
【００５８】
ここで、簡易再生とは、コンテンツの通常再生と比較して、再生における動作・機能が制限されることをいう。例えば、通常のコンテンツの再生と比較し、容量が小さいコンテンツや、ビットレートの低いコンテンツが再生可能な機能をいう。また、再生可能なフォーマットも、通常に比べると限定されている場合がある。
【００５９】
なお、本実施形態では、簡易再生として説明するが、将来的な技術革新や、コストの低下に伴い、通常の再生機能（すなわち、通常のコンテンツと同じファイルサイズや、ビットレートのコンテンツ）と同等のものが提供されてもよいことは勿論である。
【００６０】
記憶部３８０は、表示装置３０の動作に必要な各種プログラムや、各種データが記憶されている機能部である。記憶部３８０は、例えば、半導体メモリ（ＳＳＤ）や、ＨＤＤ（Hard Disk Drive）等により構成されている。
【００６１】
ここで、記憶部３８０には、代替コンテンツを格納する代替コンテンツ格納領域３８２の領域が確保されている。代替コンテンツ格納領域３８２は、管理サーバ装置１０から配信された代替コンテンツ（第２のコンテンツ）が格納される。
【００６２】
［１．４  処理の流れ］
つづいて、本実施形態における処理について、図を用いて説明する。なお、本実施形態において説明するシーケンス図、動作フローは一例であり、動作の影響にない範囲で、処理の順序等が前後してもよいことは勿論である。
【００６３】
［１．４．１  全体の流れ］
図６は、管理サーバ装置１０と、制御装置２０と、表示装置３０との全体の流れを説明するシーケンス図である。まず、管理サーバ装置１０から表示装置３０に対して、表示切替要求を送信する（Ｓ１００２）。表示切替とは、表示装置３０に対して、制御装置２０から通常のコンテンツが出力されるか、表示装置３０が簡易再生機能により、表示装置３０から代替コンテンツが出力するのを切り替える制御を実行させることをいう。
【００６４】
表示切替要求は、入力されているコンテンツを切り替えることにより、切替え先の装置等から出力されるコンテンツが表示されることとなる。例えば、コンテンツを切り替えるためのコマンドを実行したり、表示切替要求が含まれたＩＰパケットを管理サーバ装置１０から表示装置３０に送信したりする。これらの方法以外であっても、管理サーバ装置１０から表示装置３０に対して要求が送信できれば、何れの方法を用いてもよい。
【００６５】
つづいて、表示装置３０は、表示切替要求を受信した後、管理サーバ装置１０に対して、表示切替応答を送信する（Ｓ１００４）。例えば、Ｓ１００２で表示切替要求を適切に受信できた場合には、受信できた旨を応答する。
【００６６】
なお、表示切替応答としては、実行したコマンドに対して戻り値を返したり、所定のデータを含めたＩＰ（Internet Protocol）パケットを表示装置３０から管理サーバ装置１０に送信したりしてもよい。これらの方法以外であっても、表示装置３０から管理サーバ装置１０に対してされた要求に対する応答が送信できれば、何れの方法を用いてもよい。
【００６７】
表示切替応答を受信することにより、管理サーバ装置１０は、表示切替が正常に行われたことを検出することが可能である。
【００６８】
本実施形態において、表示切替が正常に行われることによって、制御装置２０から出力されているコンテンツが、表示装置３０において出力される（Ｓ１００６）。表示装置３０が制御装置２０から出力されたコンテンツを出力する状態、すなわち制御装置２０から第１のコンテンツを受信して表示する状態を、コンテンツ出力モードという。
【００６９】
なお、制御装置２０からコンテンツが入力されていないなど、表示切替ができない場合には、表示切替ができないことを表現した戻り値やデータを表示装置３０から管理サーバ装置１０へ送信してもよく又は表示切替応答を送信しなくてもよい。管理サーバ装置１０は、正常な表示切替応答が受信できなかったことにより、表示切替が正常に行われなかったことを検出することが可能である。
【００７０】
管理サーバ装置１０は、表示切替応答を受信することにより、表示切替が正常に行われ、制御装置２０からコンテンツが出力されていると判定している場合、表示装置３０に対して、代替コンテンツの配信を行う（Ｓ１００８）。代替コンテンツの配信は、管理サーバ装置１０の代替コンテンツ格納領域１３４に格納されている代替コンテンツを、ネットワークを介して表示装置３０に送信することにより行う。
【００７１】
また、表示装置３０は、代替コンテンツの受信が完了した場合、管理サーバ装置１０に対して代替コンテンツ受信完了通知を送信する（Ｓ１０１０）。
【００７２】
ここで、本実施形態における「コンテンツの受信が完了する」とは、各装置がコンテンツ（代替コンテンツ）を正常に利用出来る状態になることをいう。具体的には、各装置（ここでは、表示装置３０）が代替コンテンツの受信が完了したと判定するタイミングとしては、以下のような場合が考えられる。
・表示装置３０の代替コンテンツ格納領域３８２に、正当な代替コンテンツが格納されたタイミング
・管理サーバ装置１０から受信したコンテンツの正当性を確認ができたタイミング
・管理サーバ装置１０から圧縮されたコンテンツが配信された場合に、コンテンツの展開が正常にできたタイミング
【００７３】
これらのコンテンツの受信が完了したと判定されるタイミングは、表示装置３０に限られず、制御装置２０においても同様のタイミングで判定される。
【００７４】
また、代替コンテンツ受信完了通知は、代替コンテンツを正常に受信できた場合に送信されることとし説明しているが、正常に送信出来なかった場合に、その旨を示す情報を含めた信号を送信してもよい。
【００７５】
管理サーバ装置１０は、代替コンテンツ受信完了通知を受信した場合、代替コンテンツの配信が正常に行われていることから、表示装置３０に対して簡易再生表示要求を送信する（Ｓ１０１２）。また、制御装置２０にコンテンツ出力停止要求を送信する（Ｓ１０１４）。
【００７６】
これらの信号・通知・要求等については、コマンドの実行や、所定のデータを含めたＩＰ（Internet Protocol）パケットの送信を行えばよく、また、その他要求が送信できれば、何れの方法を用いてもよい。
【００７７】
コンテンツ出力停止要求を受信すると、制御装置２０は、コンテンツ格納領域２４２に格納されているコンテンツの読み出しを停止し、出力を停止する（Ｓ１０１６）。また、表示装置３０は、簡易再生表示要求（Ｓ１０１２）を受信すると、簡易再生部３７０が代替コンテンツを入力切替部３６０に出力する。入力切替部３６０は、簡易再生部３７０から出力される代替コンテンツに基づいて、映像信号を表示部３３０に、音声信号を音声出力部３４０に出力する（Ｓ１０１８）。表示装置３０が簡易再生部３７０から出力されたコンテンツを出力する状態、すなわち代替コンテンツを出力する状態を、簡易再生モードという。
【００７８】
つづいて、管理サーバ装置１０は、制御装置２０に対して、コンテンツの配信を行う（Ｓ１０２０）。コンテンツの配信は、管理サーバ装置１０のコンテンツ格納領域１３２に格納されているコンテンツを、ネットワークを介して制御装置２０に送信することにより行う。
【００７９】
また、制御装置２０は、コンテンツの受信が完了した場合、管理サーバ装置１０に対してコンテンツ受信完了通知を送信する（Ｓ１０２２）。
【００８０】
管理サーバ装置１０は、制御装置２０にコンテンツの配信が正常に行われた（コンテンツの配信が完了した）場合、現在再生中の簡易再生（表示装置３０における代替コンテンツ出力）から、制御装置２０のコンテンツ再生（制御装置２０におけるコンテンツ出力）に切り替える。
【００８１】
この場合、表示装置３０に対して表示切替要求を送信する。この場合は、表示切替要求として簡易停止表示要求を送信している（Ｓ１０２４）。
【００８２】
表示装置３０は、簡易再生停止要求を受信することにより、簡易再生部３７０は代替コンテンツ格納領域３８２に格納されている代替コンテンツを出力する動作を停止させる（Ｓ１０２６）。
【００８３】
つづいて、管理サーバ装置１０から表示装置３０に対して、表示切替要求を送信し（Ｓ１０２８）。表示装置３０は管理サーバ装置１０に対して、表示切替応答を送信する（Ｓ１０３０）。表示切替要求及び表示切替応答については、Ｓ１００２及びＳ１００４と同様である。
【００８４】
また、制御装置２０にコンテンツ出力要求を送信する（Ｓ１０３２）。この要求により、制御装置２０は、コンテンツ格納領域２４２に格納されているコンテンツの読み出しを開始し、読み出したコンテンツの出力を開始する。表示装置３０は、制御装置２０に記憶されたコンテンツを表示することとなる（Ｓ１０３４）。
【００８５】
なお、上記シーケンスでは、簡易再生モードとするために、管理サーバ装置１０は簡易再生停止要求（Ｓ１０２４）と表示切替要求（Ｓ１０２８）との２つの要求を送信しているが、当該２つの要求を１つにまとめた要求によって簡易再生モードにしてもよい。
【００８６】
［１．４．２  コンテンツ配信処理］
つづいて、図７及び図８を参照して、管理サーバ装置１０のメインの処理であるコンテンツ配信処理の流れについて説明する。管理サーバ装置１０におけるコンテンツ配信処理は、制御部１１０が、記憶部１３０からコンテンツ配信プログラム１３６を読み出して実行することにより実現する処理である。
【００８７】
まず、コンテンツと代替コンテンツとの記憶を行う（ステップＳ１０２）。具体的には、例えばサイネージシステムの管理者が、広告主等から入稿されたコンテンツをコンテンツ格納領域１３２に格納し、予め用意した代替コンテンツを代替コンテンツ格納領域１３４に格納することによって行う。
【００８８】
つづいて、ステップＳ１０２で記憶されたコンテンツ及び代替コンテンツのうち、制御装置２０に配信されていないコンテンツ（未配信コンテンツ）があるか否かを判定する（ステップＳ１０４）。未配信コンテンツがある場合は、管理サーバ装置１０はコンテンツの配信処理を行う（ステップＳ１０４；Ｙｅｓ）。
【００８９】
コンテンツの配信処理を行うために、はじめに管理サーバ装置１０は、表示装置３０に表示切替要求を送信する（ステップＳ１０６）。つづいて、表示装置３０から表示切替応答を受信したかを判定する（ステップＳ１０８）。ここで、所定の時間内に表示切替応答が受信できずタイムアウトになった場合や、表示切替応答は受信できたが正常に表示切替ができなかったことを検出した場合は、コンテンツの配信を中止し、所定の時間経過後に、再度コンテンツの配信処理を行ってもよい。
【００９０】
表示装置３０から表示切替応答を受信した場合は（ステップＳ１０８；Ｙｅｓ）、表示装置３０は制御装置２０から出力されるコンテンツの表示を行っている状態であるため、管理サーバ装置１０は表示装置３０に代替コンテンツを配信する（ステップＳ１１０）。
【００９１】
つづいて、表示装置３０から代替コンテンツ受信完了通知を受信したかを判定する（ステップＳ１１２）。代替コンテンツ受信完了通知を受信した場合は、表示装置３０に簡易再生表示要求を送信することで、配信した代替コンテンツを表示装置３０に表示する（ステップＳ１１２；Ｙｅｓ→ステップＳ１１４）。なお、配信するコンテンツのデータ量、利用回線速度、伝送効率等から受信時間を計算し、当該受信時間を超えて代替コンテンツ受信完了通知が受信できない場合など、配信が正常に行えないことを管理サーバ装置１０が検出した場合には、代替コンテンツの再配信を行ってもよい。
【００９２】
表示装置３０が代替コンテンツを表示している状態となった後、つづいて管理サーバ装置１０は制御装置２０に対してコンテンツの配信を行う。はじめに、コンテンツ出力停止要求を送信し（ステップＳ１１６）、制御装置２０によるコンテンツの読み出し及び出力を停止させる。この処理により、制御装置２０はコンテンツの受信に必要のない処理が実行されなくなり、効率的なコンテンツの配信が可能となる。なお、コンテンツの出力の停止又はコンテンツの出力の再開の処理に長時間を必要とするなどの事情がある場合等には、コンテンツ出力停止要求を行わなくてもよい。この場合、制御装置２０は、コンテンツの出力をしながら、コンテンツの受信を行うこととなる。
【００９３】
つづいて、制御装置２０に対してコンテンツを配信する（ステップＳ１１８）。さらに、コンテンツ受信完了通知を受信したかを判定する（ステップＳ１２０）。具体的には、ステップＳ１１０及びステップＳ１１２と同様の処理を実行すればよい。
【００９４】
制御装置２０に対するコンテンツの配信が完了したら、表示装置３０に簡易再生停止要求を送信し（図８、ステップＳ１２２）、さらに表示装置３０に表示切替要求を送信する（ステップＳ１２４）。表示装置３０から表示切替応答を受信したら、制御装置２０にコンテンツ出力開始要求を送信する（ステップＳ１２６；Ｙｅｓ→ステップＳ１２８）。これらの処理により、コンテンツ出力モードへと切り替わる。
【００９５】
つづいて、終了操作がされたかを判定する（ステップＳ１３０）。終了操作としては、電源ＯＦＦの操作であったり、プログラムを終了する操作であったりする。このような操作があった場合には、本処理を終了する（ステップＳ１３０；Ｙｅｓ）。終了操作がされなかった場合は、ステップＳ１０２へ戻る（ステップＳ１３０；Ｎｏ→ステップＳ１０２）。
【００９６】
［１．４．３  制御装置メイン処理］
つづいて、図９を参照して、制御装置２０のメイン処理の流れについて説明する。制御装置のメイン処理は、制御部２１０が、記憶部２４０からコンテンツ出力プログラム２４４を読み出して実行することにより実現する処理である。
【００９７】
はじめに、管理サーバ装置１０からコンテンツ出力停止要求を受信したかを判定する（ステップＳ２０２）。コンテンツ出力停止要求を受信したら（ステップＳ２０２；Ｙｅｓ）、コンテンツの出力を停止する（ステップＳ２０４）。
【００９８】
つづいて、管理サーバ装置１０からコンテンツの配信があったかを判定する（ステップＳ２０６）。コンテンツの配信があれば、配信されたコンテンツを受信し、コンテンツ格納領域２４２に格納する（ステップＳ２０６；Ｙｅｓ→ステップＳ２０８）。
【００９９】
コンテンツの受信及び格納が完了したら、管理サーバ装置１０に、コンテンツ受信完了通知を送信する（ステップＳ２１０）。
【０１００】
つづいて、管理サーバ装置１０からコンテンツ出力開始要求を受信したかを判定する（ステップＳ２１２）。コンテンツ出力開始要求を受信したら（ステップＳ２１２；Ｙｅｓ）、コンテンツの出力を開始する（ステップＳ２１４）。
【０１０１】
つづいて、終了操作がされたかを判定する（ステップＳ２１６）。終了操作としては、電源ＯＦＦの操作であったり、プログラムを終了する操作であったりする。このような操作があった場合には、本処理を終了する（ステップＳ２１６；Ｙｅｓ）。終了操作がされなかった場合は、ステップＳ２０２へ戻る（ステップＳ２１６；Ｎｏ→ステップＳ２０２）。
【０１０２】
［１．４．４  表示装置メイン処理］
つづいて、図１０を参照して、表示装置３０のメイン処理の流れについて説明する。表示装置のメイン処理は、制御部３１０が、表示装置３０の各機能部を制御することにより実行することにより実現する処理である。
【０１０３】
はじめに、出力する映像・音声を制御装置２０から入力されたコンテンツに切り替える（ステップＳ３０２）。すなわち、入力切替部３６０を制御し、コンテンツから抽出された映像信号を表示部３３０に、音声信号を音声出力部３４０に出力する。
【０１０４】
つづいて、簡易再生停止要求を受信したかを判定する（ステップＳ３０４）。簡易再生停止要求を受信したら（ステップＳ３０４；Ｙｅｓ）、簡易再生部３７０による代替コンテンツの出力を停止する（ステップＳ３０６）。
【０１０５】
つづいて、管理サーバ装置１０から代替コンテンツの配信があったかを判定する（ステップＳ３０８）。代替コンテンツの配信があれば、配信された代替コンテンツを受信し、代替コンテンツ格納領域３８２に格納する（ステップＳ３０８；Ｙｅｓ→ステップＳ３１０）。代替コンテンツの受信及び格納が完了したら、管理サーバ装置１０に、代替コンテンツ受信完了通知を送信する（ステップＳ３１２）。
【０１０６】
つづいて、管理サーバ装置１０から簡易再生表示要求を受信したかを判定する（ステップＳ３１４）。簡易再生表示要求を受信した場合は、簡易再生部によるコンテンツの出力を開始する（ステップ３１４；Ｙｅｓ→ステップＳ３１６）。すなわち、簡易再生部３７０は代替コンテンツ格納領域３８２に格納されている代替コンテンツを読み出して出力する。
【０１０７】
また、入力切替部３６０は、簡易再生部３７０から出力されるコンテンツに基づいて映像信号を表示部３３０に、音声信号を音声出力部３４０に出力するように、入出力を切り替える（ステップＳ３１８）。
【０１０８】
つづいて、管理サーバ装置１０から表示切替要求を受信したかを判定する（ステップＳ３２０）。表示切替要求を受信した場合は、入力切替部３６０は、制御装置から出力され、映像入力部３５０に入力されたコンテンツを出力するように、入力を切り替える（ステップＳ３２２）。
【０１０９】
つづいて、終了操作がされたかを判定する（ステップＳ２１４）。終了操作としては、電源ＯＦＦの操作であったり、プログラムを終了する操作であったりする。このような操作があった場合には、本処理を終了する（ステップＳ２１４；Ｙｅｓ）。終了操作がされなかった場合は、ステップＳ２０２へ戻る（ステップＳ２１４；Ｎｏ→ステップＳ２０２）。
【０１１０】
このように、本実施形態によれば、制御装置２０がコンテンツ管理サーバである管理サーバ装置１０から第１のコンテンツを受信することでコンテンツが更新されている間は、表示装置３０は簡易再生部３７０によって第２のコンテンツである代替コンテンツを表示する。これにより、コンテンツに基づいた映像の表示が乱れるといった不具合の発生を回避することができる。
【０１１１】
［２．第２実施形態］
つづいて、本発明の第２実施形態について、図１１から図１６までを参照して説明する。第２実施形態は、第１実施形態と構成は同じであるが、コンテンツの配信の方法が異なる。すなわち第１実施形態は、管理サーバ装置１０から制御装置２０又は表示装置３０にコンテンツを送りつけるＰＵＳＨ配信であったが、第２実施形態は、制御装置２０又は表示装置３０から管理サーバ装置１０にコンテンツの配信を要求するＰＵＬＬ配信である。
【０１１２】
本実施形態は、第１実施形態の図６のシーケンス図を、図１１のシーケンス図に置き換え、図７及び図８の処理を図１２に置き換え、図９の処理を図１３及び図１４に置き換え、図１０の処理を図１５及び図１６の処理に置き換えた実施形態である。ここで、第２実施形態における管理サーバ装置１０、制御装置２０、表示装置３０の機能構成は、第１実施形態と同一であるため、その説明を省略する。
【０１１３】
［２．１  処理の流れ］
［２．１．１  全体のシーケンス図］
図１１は、管理サーバ装置１０と、制御装置２０と、表示装置３０との全体の流れを説明するシーケンス図である。まず、コンテンツ出力モードとし、表示装置３０は、制御装置２０から出力されるコンテンツが出力される（Ｓ２００２）。
【０１１４】
代替コンテンツ格納領域３８２に格納されている代替コンテンツを更新する場合は、表示装置３０は、簡易再生禁止モードに切り替える（Ｓ２００４）。簡易再生禁止モードとは、簡易再生表示要求を受信しても、簡易再生を行わず（すなわち、代替コンテンツを出力せず）制御装置２０からのコンテンツの出力を行うコンテンツ出力モードの状態を保持するモードである。
【０１１５】
つづいて、表示装置３０は、管理サーバ装置１０に対して接続要求を送信し（Ｓ２００６）、管理サーバ装置１０から接続応答を受信する（Ｓ２００８）。接続応答を受信することにより、表示装置３０は、代替コンテンツの送信元である管理サーバ装置１０の接続先が正しいことを検出することが可能となる。
【０１１６】
つづいて、表示装置３０は、管理サーバ装置１０に対して代替コンテンツ配信要求を送信し（Ｓ２０１０）、管理サーバ装置１０から配信された代替コンテンツを受信する（Ｓ２０１２）。代替コンテンツの受信が完了したら、表示装置３０は、管理サーバ装置１０に対して代替コンテンツ受信完了通知を送信する（Ｓ２０１４）。以上により、表示装置３０は代替コンテンツの更新ができたため、簡易再生表示要求を受信したら、入力切替部３６０が簡易再生部３７０から出力されたコンテンツを出力するように、簡易再生可能モードに切り替える（Ｓ２０１６）。
【０１１７】
つづいて、制御装置２０は、コンテンツ格納領域２４２に格納されているコンテンツを更新する。このとき、表示装置３０が制御装置２０から出力されるコンテンツを出力をしないように、制御装置２０は表示装置３０に簡易再生表示要求を送信する（Ｓ２０１８）。また、制御装置２０は、表示装置３０から送信される簡易再生表示応答を受信する（Ｓ２０２０）。
【０１１８】
これにより簡易再生モードとなり、表示装置３０は代替コンテンツ格納領域３８２に格納されている代替コンテンツを出力する状態となる（Ｓ２０２２）。また、制御装置２０は表示装置３０から簡易再生表示応答を受信することで、簡易再生モードとなったことが検出できるため、コンテンツの出力を停止する（Ｓ２０２４）。
【０１１９】
制御装置２０は、コンテンツの更新中に表示切替要求によってコンテンツ出力モードとならないように、表示装置３０に対して、表示切替禁止要求を送信する（Ｓ２０２６）。これにより、表示装置３０は、表示切替禁止モードに切り替わる（Ｓ２０２８）。
【０１２０】
つづいて、制御装置２０は、管理サーバ装置１０に対して接続要求を送信し（Ｓ２０３０）、管理サーバ装置１０から接続応答を受信する（Ｓ２０３２）。接続応答を受信することにより、制御装置２０は、コンテンツの送信元である管理サーバ装置１０の接続先が正しいことを検出することが可能となる。
【０１２１】
つづいて、制御装置２０は、管理サーバ装置１０に対してコンテンツ配信要求を送信し（Ｓ２０３４）、管理サーバ装置１０から配信されたコンテンツを受信する（Ｓ２０３６）。コンテンツの受信が完了したら、制御装置２０は、管理サーバ装置１０に対してコンテンツ受信完了通知を送信する（Ｓ２０３８）。以上により、制御装置２０はコンテンツの更新ができる。ここで、表示切替要求によってコンテンツ出力モードとされることを許可するために、表示装置３０に表示切替禁止解除要求を送信する（Ｓ２０４０）。これにより、表示装置３０は、表示切替可能モードに切り替わる（Ｓ２０２８）。
【０１２２】
つづいて、コンテンツ出力モードに切り替える。はじめに、制御装置２０が表示装置３０に簡易表示停止要求を送信して（Ｓ２０４４）、簡易再生部３７０の機能を停止させる（Ｓ２０４６）。制御装置２０は、表示装置３０から送信される簡易表示停止応答を受信する（Ｓ２０４８）。さらに、制御装置２０は表示装置３０に対して表示切替要求を送信し（Ｓ２０５０）、表示装置３０から送信される表示切替応答を受信する（Ｓ２０５２）。以上の処理により、コンテンツ出力モードに切り替わる（Ｓ２０５４）。
【０１２３】
［２．１．２  管理サーバ装置メイン処理］
管理サーバ装置１０のメイン処理について、図１２を参照して説明する。まず、コンテンツと代替コンテンツとの記憶を行い、コンテンツをコンテンツ格納領域１３２に格納し、代替コンテンツを代替コンテンツ格納領域１３４に格納する（ステップＳ４０２）。
【０１２４】
つづいて、表示装置３０から接続要求を受信したかを判定する（ステップＳ４０４）。接続要求を受信したら、表示装置３０に接続応答を送信する（ステップＳ４０４；ＹｅｓステップＳ４０６）。また、表示装置３０から代替コンテンツ配信要求を受信したかを判定し（ステップＳ４０８）、代替コンテンツ配信要求を受信した場合は表示装置３０に代替コンテンツを配信する（ステップＳ４０８；Ｙｅｓ→ステップＳ４１０）。
【０１２５】
つづいて、制御装置２０から接続要求を受信したかを判定する（ステップＳ４１２）。接続要求を受信したら、制御装置２０に接続応答を送信する（ステップＳ４１２；ＹｅｓステップＳ４１４）。また、制御装置２０からコンテンツ配信要求を受信したかを判定し（ステップＳ４１６）、コンテンツ配信要求を受信した場合は制御装置２０にコンテンツを配信する（ステップＳ４１６；Ｙｅｓ→ステップＳ４１８）。
【０１２６】
つづいて、終了操作がされたかを判定する（ステップＳ４２０）。終了操作があった場合には、本処理を終了する（ステップＳ４２０；Ｙｅｓ）。終了操作がされなかった場合は、ステップＳ４０４へ戻る（ステップＳ４２０；Ｎｏ→ステップＳ４０４）。
【０１２７】
［２．１．３  制御装置メイン処理］
制御装置２０のメイン処理について、図１３及び図１４を参照して説明する。はじめに、コンテンツ出力を行う（ステップＳ５０２）。すなわち、制御装置２０は、コンテンツ格納領域２４２からコンテンツを読み出して出力する。
【０１２８】
つづいて、コンテンツを更新するかを判定する（ステップＳ５０４）。例えば、毎日午前３時に更新するといったように、定期的にコンテンツを更新する場合は、所定の時間となったか否かによって判定してすればよい。また、例えば運用者による指示の有無に基づいて判定してもよく、これらを組み合わせてもよい。
【０１２９】
コンテンツを更新する場合は、表示装置３０に簡易再生表示要求を送信する（ステップＳ５０６）。つづいて、表示装置３０から簡易再生表示応答を受信したかを判定する（ステップＳ５０８）。
【０１３０】
簡易再生表示応答を受信した場合は、表示装置３０が簡易再生禁止モードであるかを判定する（ステップＳ５０８；Ｙｅｓ→ステップＳ５１０）。なお、簡易再生禁止モードであるかの判定は、表示装置３０に簡易再生禁止モードであるかを問い合わせる信号を送信し、その応答によって判定してもよいし、ステップＳ５０８で受信する簡易再生表示応答から判定してもよい。例えば、表示装置３０が簡易再生禁止モードであるか否かを示すフラグを含めた簡易再生表示応答を制御装置２０へ送信し、制御装置２０はフラグによって、簡易再生禁止モードであるかを判定すればよい。
【０１３１】
表示装置３０が簡易再生禁止モードでない場合は、簡易再生表示要求の応答を受信したことにより、表示装置３０が簡易再生モードとなったことが検出できる。つづいて、制御装置２０はコンテンツの出力を停止し（ステップＳ５１２）、表示装置３０に表示切替禁止要求を送信する（ステップＳ５１４）。
【０１３２】
つづいて、管理サーバ装置１０に接続要求を送信する（ステップＳ５１６）。管理サーバ装置１０から接続応答を受信したかを判定し（ステップＳ５１８）、管理サーバ装置１０から接続応答を受信した場合は、管理サーバ装置にコンテンツ配信要求を送信する（ステップＳ５１８；Ｙｅｓ→図１４のステップＳ５２０）。
【０１３３】
つづいて、管理サーバ装置１０から配信されたコンテンツを受信し、コンテンツ格納領域２４２に格納する（ステップＳ５２２）。コンテンツの受信が完了したら、管理サーバ装置１０にコンテンツ配信完了通知を送信する（ステップＳ５２４）。以上によって、制御装置２０のコンテンツ格納領域２４２に格納されているコンテンツの更新が完了する。
【０１３４】
コンテンツの更新が完了により、制御装置２０からのコンテンツの受信が可能となったことを表示装置３０に通知するため、表示装置３０に表示切替禁止解除要求を送信する（ステップＳ５２６）。
【０１３５】
つづいて、コンテンツ出力モードとする。はじめに、表示装置３０に簡易表示停止要求を送信し、代替コンテンツの出力を停止させる（ステップＳ５２８）。簡易表示停止要求に対して、表示装置３０に簡易表示停止応答を受信したか判定し（ステップＳ５３０）、簡易表示停止応答を受信した場合は、表示装置３０に表示切替要求を送信する（ステップＳ５３０；Ｙｅｓ→ステップＳ５３２）。つづいて、表示装置３０から表示切替応答を受信したか判定する（ステップＳ５３４）。表示切替応答を受信することにより（ステップＳ５３４；Ｙｅｓ）、表示装置３０がコンテンツ出力モードとなったことが検出できる。
【０１３６】
つづいて、終了操作がされたかを判定する（ステップＳ５３６）。終了操作があった場合には、本処理を終了する（ステップＳ５３６；Ｙｅｓ）。終了操作がされなかった場合は、ステップＳ５０２へ戻る（ステップＳ５３６；Ｎｏ→図１３のステップＳ５０２）。
【０１３７】
［２．１．４  表示装置メイン処理］
表示装置３０のメイン処理について、図１５及び図１６を参照して説明する。はじめに、コンテンツ出力モードとするため、入力切替部３６０を制御する。（ステップＳ６０２）。なお、すでにコンテンツ出力モードである場合は、入力切替部３６０の制御を行わなくてもよい。
【０１３８】
つづいて、代替コンテンツを更新するかを判定する（ステップＳ６０４）。代替コンテンツを更新するかの判定は、例えば運用者による指示の有無に基づいて判定してもよいし、定期的に更新する場合は、所定の時間となったか否かによって判定してもよい。
【０１３９】
つづいて、表示切替禁止モードであるかを判定する（ステップＳ６０６）。表示切替禁止モードの場合は、コンテンツ出力モードとすることができない。したがってこの場合は、代替コンテンツの更新をせず、ステップＳ６０４へ戻る（ステップＳ６０６；Ｎｏ→ステップＳ６０４）。
【０１４０】
代替コンテンツを更新する場合は、コンテンツ出力モードとするため、入力切替部３６０を制御して、出力されるコンテンツを制御装置２０から出力されるコンテンツに切り替える（ステップＳ６０８）。なお、すでにコンテンツ出力モードである場合は、入力切替部３６０の制御は行わなくてもよい。
【０１４１】
つづいて、簡易再生禁止モードに切り替え（ステップＳ６１０）、簡易再生モードとなることを禁止する。このようにすることで、表示装置３０が代替コンテンツを更新している間に、制御装置２０がコンテンツの更新を行うことを防ぐことができる。
【０１４２】
つづいて、管理サーバ装置１０に接続要求を送信する（ステップＳ６１２）。管理サーバ装置１０から接続応答を受信したかを判定し（ステップＳ６１４）、管理サーバ装置１０から接続応答を受信した場合は、管理サーバ装置１０に代替コンテンツ配信要求を送信する（ステップＳ６１４；Ｙｅｓ→ステップＳ６１６）。
【０１４３】
つづいて、管理サーバ装置１０から配信された代替コンテンツを受信し、代替コンテンツ格納領域３８２に格納する（ステップＳ６１８）。代替コンテンツの受信が完了したら、管理サーバ装置１０に代替コンテンツ配信完了通知を送信する（ステップＳ６２０）。以上によって、制御装置２０のコンテンツ格納領域に格納されているデータの更新が完了する。
【０１４４】
代替コンテンツの更新が完了により、簡易再生モードとすることを可能とするために、簡易再生可能モードに切り替える（ステップＳ６２２）。
【０１４５】
つづいて、簡易再生表示要求を受信したかを判定する（図１６のステップＳ６２４）。簡易再生表示要求を受信した場合は、つづいて、簡易再生禁止モードであるかを判定する（ステップＳ６２４；Ｙｅｓ→ステップＳ６２６）。簡易再生禁止モードでない場合は（ステップＳ６２６；Ｎｏ）、簡易再生部３７０によるコンテンツの出力を開始し（ステップＳ６２８）、簡易再生モードとするために入力切替部３６０を制御する（ステップＳ６３０）。
【０１４６】
つづいて、簡易再生停止要求を受信したかを判定する（ステップＳ６３２）。簡易再生表示要求を受信した場合は、簡易再生部３７０によるコンテンツの出力を停止する（ステップＳ６３４）。
【０１４７】
つづいて、表示切替要求を受信したかを判定する（ステップＳ６３６）。表示切替要求を受信した場合は、つづいて、表示切替禁止モードであるかを判定する（ステップＳ６３６；Ｙｅｓ→ステップＳ６３８）。表示切替禁止モードでない場合は（ステップＳ６３８；Ｎｏ）、コンテンツ出力モードとするために入力切替部３６０を制御する（ステップＳ６４０）。
【０１４８】
つづいて、終了操作がされたかを判定する（ステップＳ６４２）。終了操作があった場合には、本処理を終了する（ステップＳ６４２；Ｙｅｓ）。終了操作がされなかった場合は、ステップＳ６０４へ戻る（ステップＳ６４２；Ｎｏ→ステップＳ６０４）。
【０１４９】
このように、本実施形態によれば、制御装置２０側及び表示装置３０側からの要求により、管理サーバ装置１０からコンテンツ・代替コンテンツを受信する場合に、受信する装置がコンテンツを表示中の状態を避けてコンテンツを受信することが可能となる。これにより、いわゆるＰＵＬＬ型のコンテンツ配信システムであっても、コンテンツの出力に影響を及ぼすことなく、コンテンツ・代替コンテンツを受信することができるようになる。
【０１５０】
［３．第３実施形態］
つづいて、第３実施形態について、図１７を参照して説明する。第３実施形態は、第１実施形態と構成は同じであるが、コンテンツの配信の方法が異なる。第３実施形態は、制御装置２０は管理サーバ装置１０からコンテンツの配信を受け、表示装置３０は制御装置２０からコンテンツの配信を受ける実施形態である。
【０１５１】
まず、コンテンツ出力モードとし、表示装置３０は、制御装置２０から入力されるコンテンツを出力する（Ｓ３００２）。
【０１５２】
コンテンツ格納領域２４２に格納されているコンテンツを更新する場合は、管理サーバ装置１０は、表示装置３０に簡易再生表示要求を送信し（Ｓ３００４）、制御装置２０にコンテンツ出力停止要求を送信する（Ｓ３００６）。これにより、表示装置３０は、入力切替部３６０により、代替コンテンツに入力が切り替わり、当該代替コンテンツの出力が開始される（Ｓ３００８）。また、制御装置２０はコンテンツの出力を停止する（Ｓ３０１０）。これらの処理により、簡易再生モードとなる。
【０１５３】
つづいて、管理サーバ装置１０は、制御装置２０のコンテンツ格納領域２４２に記憶されているコンテンツを更新するために、制御装置２０にコンテンツ配信を行う（Ｓ３０１２）。また、制御装置２０は、コンテンツの受信が完了したら、管理サーバ装置１０にコンテンツ受信完了通知を送信する（Ｓ３０１４）。
【０１５４】
つづいて、コンテンツ出力モードとするため、管理サーバ装置１０は、表示装置３０に簡易再生停止要求を送信し（Ｓ３０１６）、代替コンテンツを停止させる（Ｓ３０１８）。また、管理サーバ装置１０は、制御装置２０にコンテンツ出力開始要求を送信し（Ｓ３０２０）、制御装置２０からコンテンツが出力されるように制御する。これにより、コンテンツ出力モードとなる（Ｓ３０２２）。
【０１５５】
つづいて、制御装置２０は表示装置３０にコンテンツを配信する（Ｓ３０２４）。表示装置３０は、コンテンツの受信が完了した場合は、制御装置２０にコンテンツ受信完了通知を送信する（Ｓ３０２６）。これにより、表示装置３０が格納するコンテンツが更新される。
【０１５６】
なお、管理サーバ装置１０が制御装置２０に配信するコンテンツには、代替コンテンツが含まれていてもよく、当該代替コンテンツを制御装置２０から表示装置３０へ配信してもよい。また、管理サーバ装置１０が制御装置２０に配信するコンテンツに基づき、制御装置２０が代替コンテンツを生成し、生成した代替コンテンツを表示装置３０へ配信してもよい。
【０１５７】
このように、本実施形態によれば、制御装置２０がコンテンツ管理サーバである管理サーバ装置１０からコンテンツを受信している間は、表示装置３０は簡易再生部３７０によって代替コンテンツを表示する。また、表示装置３０は、制御装置２０からコンテンツを受信している間は、制御装置２０から出力されるコンテンツを出力する。このようにすることで、コンテンツを受信している間に、表示装置３０に表示される映像の表示が乱れるといった不具合の発生を回避することができる。
【０１５８】
［４．第４実施形態］
つづいて、第４実施形態について、説明する。第４実施形態は、第３実施形態と構成及び処理が略同一であるが、制御装置２０から表示装置３０へのコンテンツの配信の方法が異なる。すなわち、第３実施形態は、制御装置２０から表示装置３０へはコンテンツをＰＵＳＨ配信していたが、第４実施形態は、表示装置３０がコンテンツを更新する際、制御装置２０へコンテンツの配信の要求を送信するＰＵＬＬ配信である点が異なる。
【０１５９】
図１８は、本実施形態の処理を説明するためのシーケンス図である。図１８は、図１７のシーケンス図のＳ３０２４及びＳ３０２６を、Ｓ４００２〜Ｓ４０１４に置き換えたものである。Ｓ３０２２迄の処理は第３実施形態と同様であるため、その説明を省略する。
【０１６０】
なお、本実施形態においては、表示装置において必要な代替コンテンツは、制御装置に配信されている。すなわち、Ｓ３０１２において、管理サーバ装置１０から、制御装置２０にコンテンツが配信されるが、このコンテンツには代替コンテンツが含まれているものとする。
【０１６１】
また、制御装置２０が、コンテンツから代替コンテンツを生成してもよい。例えば、制御装置２０におけるコンテンツからビットレートを落とした代替コンテンツを作成したり、静止画による代替コンテンツに基づいて代替コンテンツを作成したりしてもよい。作成される場合は、予め作成しておいてもよいし、要求後に作成してもよい。
【０１６２】
すなわち、何れの場合であっても、代替コンテンツは制御装置２０側で準備可能である。代替コンテンツが制御装置２０に準備された状態又は準備可能となる状態で、表示装置３０は簡易再生禁止モードに切り替える（Ｓ４００２）。つづいて、表示装置３０は、制御装置２０に対して接続要求を送信し（Ｓ４００４）、制御装置２０から接続応答を受信する（Ｓ４００６）。接続応答を受信することにより、表示装置３０は、コンテンツの送信元である制御装置２０の接続先が正しいことを検出することが可能となる。
【０１６３】
つづいて、表示装置３０は、制御装置２０に対してコンテンツ配信要求を送信し（Ｓ４００８）、制御装置２０から配信されたコンテンツを受信する（Ｓ４０１０）。コンテンツの受信が完了したら、表示装置３０は、制御装置２０に対して代替コンテンツ受信完了通知を送信する（Ｓ４０１２）。以上により、表示装置３０は代替コンテンツの更新ができたため、簡易再生表示要求を受信したら、入力切替部３６０が簡易再生部３７０から出力されたコンテンツを出力するように、簡易再生可能モードに切り替える（Ｓ４０１４）。
【０１６４】
このように、本実施形態によれば、制御装置２０がコンテンツ管理サーバである管理サーバ装置１０からコンテンツを受信している間は、表示装置３０は簡易再生部３７０によって代替コンテンツを表示する。また、表示装置３０は、いわゆるＰＵＬＬ型のコンテンツ配信システムとなっているが、制御装置２０からコンテンツを受信する間は、制御装置２０から出力されるコンテンツを出力する。これにより、制御装置２０及び表示装置３０がコンテンツを受信していても、表示装置３０に表示される映像の表示が乱れるといった不具合の発生を回避することができる。
【０１６５】
［５．第５実施形態］
つづいて、第５実施形態について、図１９を参照して説明する。第５実施形態は、第１実施形態と構成が同一であるが、コンテンツの配信方法が異なる。すなわち、制御装置２０はＰＵＬＬ配信により管理サーバ装置１０からコンテンツ配信を受け、表示装置３０は制御装置２０からコンテンツ配信を受ける実施形態である。すなわち、制御装置２０が、主体となって代替コンテンツを更新する実施形態である。
【０１６６】
まず、表示装置３０は、制御装置２０から受信されたコンテンツを出力するコンテンツ出力モードにする（Ｓ５００２）。つづいて、制御装置２０は、表示装置３０に簡易再生表示要求を送信し（Ｓ５００４）、表示装置３０は制御装置２０に簡易再生表示応答を送信する（Ｓ５００６）。表示装置３０は、簡易再生モードに切替えることで、代替コンテンツの出力を開始する（Ｓ５００８）。また、制御装置２０は、コンテンツの出力を停止する（Ｓ５０１０）。
【０１６７】
つづいて、制御装置２０は、管理サーバ装置１０に対して接続要求を送信する（Ｓ５０１２）。そして、管理サーバ装置１０から接続応答を受信すると（Ｓ５０１４）、コンテンツ配信要求を送信し（Ｓ５０１６）、管理サーバ装置１０から配信されたコンテンツを受信する（Ｓ５０１８）。コンテンツの受信が完了したら、制御装置２０は、管理サーバ装置１０に対して代替コンテンツ受信完了通知を送信する（Ｓ５０２０）。以上により、制御装置２０はコンテンツの更新ができる。
【０１６８】
なお、このコンテンツには代替コンテンツが含まれているか、制御装置２０がコンテンツから代替コンテンツを生成する。なお、制御装置２０が代替コンテンツを生成する仕組みとしては、上述した第４実施形態において説明したものと同一であるため、その説明を省略する。
【０１６９】
つづいて、表示装置３０の代替コンテンツを更新するために、簡易再生モードからコンテンツ出力モードに切り替える。具体的には、制御装置２０は、表示装置３０に簡易再生停止要求を送信し（Ｓ５０２２）、代替コンテンツの出力を停止させる（Ｓ５０２４）。また、制御装置２０は、表示装置３０に表示切替要求を送信し（Ｓ５０２６）、制御装置２０からコンテンツが出力されるように制御する。制御装置２０は表示装置３０から表示切替応答を受信することで（Ｓ５０２８）、コンテンツ出力モードとなる（ステップＳ５０３０）。
【０１７０】
つづいて、表示装置３０から代替コンテンツの出力が停止されていることから、制御装置２０は、表示装置３０に対して準備されている代替コンテンツを配信する（Ｓ５０３２）。表示装置３０は、代替コンテンツの受信が完了したら、制御装置２０に対してコンテンツ受信完了通知を送信する（Ｓ５０３４）。以上により、表示装置３０は代替コンテンツの更新ができる。
【０１７１】
なお、制御装置２０から表示装置３０へのコンテンツ配信をＰＵＳＨ配信により行うこととして説明したが、ＰＵＬＬ配信により行ってもよい。この場合は、Ｓ５０３２とＳ５０３４の処理を、図１８のＳ４００２からＳ４０１４に置き換えた処理にすれば実現が可能である。
【０１７２】
このように、本実施形態によれば、管理サーバ装置１０は、制御装置２０及び表示装置３０に対し簡易再生表示要求やコンテンツ出力開始要求といった制御信号を送信することがなく、また、制御装置２０からのコンテンツ配信要求に対してコンテンツの配信を行えばよいこととなる。本実施形態では、管理サーバ装置１０は制御装置２０及び表示装置３０に対する独立性が高く、セキュリティ面において有利である。
【０１７３】
［６．第６実施形態］
本発明の第６実施形態に係る制御装置２０及び表示装置３０の動作について説明する。
【０１７４】
第６実施形態では、表示装置３０は制御装置２０に対して、死活について問い合わせる要求を送信する。これに対して制御装置２０は、表示装置３０に対してＳ．Ｍ．Ａ．Ｒ．Ｔ．（Self-Monitoring, Analysis and Reporting Technology）値や、制御装置２０の装置内の温度、メモリ使用率、スワップ領域の使用状況などのレポートを送信する。
【０１７５】
このとき、表示装置３０は制御装置２０から受信したＳ．Ｍ．Ａ．Ｒ．Ｔ．値やレポートに基づき制御装置２０に異常があると判断した場合は、表示装置３０は簡易再生モードに切り替える。また、死活について問い合わせる要求に対する応答が制御装置２０から受信できなかった場合も、表示装置３０は簡易再生モードに切り替える。
【０１７６】
死活について問い合わせは、定期的に送信してもよいし（例えば１分ごと）、管理者の操作によっても送信してもよく、またこれらを組み合わせてもよい。また、制御装置２０との疎通確認は１秒ごと、レポートの送信は１分ごとといったように、死活について問い合わせる内容及び頻度を分けて問い合わせてもよい。
【０１７７】
制御装置２０に異常がないと判断した場合は、例えば第５実施形態のシーケンスに示した通りに、コンテンツの配信及び出力を行えばよい。
【０１７８】
このように、本実施形態によれば、制御装置２０に障害が発生した場合に、自動的に簡易再生モードに切り替えることができる。これにより、表示システムにおける放送事故を防ぐことができる。
【０１７９】
［７．効果］
上述したコンテンツ配信システムによれば、各装置のコンテンツを更新する場合に、当該コンテンツを更新する場合には、コンテンツが出力されないこととなる。したがって、コンテンツの表示品質を維持しつつ、コンテンツを更新できる。
【０１８０】
従前は、コンテンツを更新する場合に、コンテンツの表示品質を維持するためには、運用による回避がなされていた。例えば、非営業時間帯といったコンテンツを表示していない時間帯に、コンテンツの配信を行う対応をおこなったりしていたが、配信できる時間が限られることは、ネットワークの輻輳といった別の問題を引き起こす可能性があった。また、２４時間営業の店舗は常にコンテンツを表示しているため、店内の客が少ない時間帯に配信することで、不具合が生じても影響が小さくなるような運用がされているが、それでも表示品質の低下は免れなかった。
【０１８１】
また、緊急にコンテンツを配信する場合等、運用によって回避できない場合は、不具合が生じる可能性があることを認識した上で、配信をしなければならなかった。さらには、表示装置の点検時や、表示装置に障害が発生した場合にも不具合が生じる可能性があった。
【０１８２】
これらの従来の課題に対し、上述した実施形態のコンテンツ配信システムを利用することで、コンテンツの更新時であっても、コンテンツを更新している装置においては、確実にコンテンツの出力が行われていない状態となることから、適切な状態でコンテンツを出力することが可能となった。
【０１８３】
［８．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１８４】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０１８５】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１８６】
１０  管理サーバ装置
１１０  制御部
１２０  通信部
１３０  記憶部
１３２  コンテンツ格納領域
１３４  代替コンテンツ格納領域
１３６  コンテンツ配信プログラム
２０  制御装置
２１０  制御部
２２０  通信部
２３０  映像出力部
２４０  記憶部
２４２  コンテンツ格納領域
２４４  コンテンツ出力プログラム
３０  表示装置
３１０  制御部
３２０  通信部
３３０  表示部
３４０  音声出力部
３５０  映像入力部
３６０  入力切替部
３７０  簡易再生部
３８０  記憶部
３８２  代替コンテンツ格納領域
【図１】
2019040360.tif 000003
【図２】
2019040360.tif 000004
【図３】
2019040360.tif 000005
【図４】
2019040360.tif 000006
【図５】
2019040360.tif 000007
【図６】
2019040360.tif 000008
【図７】
2019040360.tif 000009
【図８】
2019040360.tif 000010
【図９】
2019040360.tif 000011
【図１０】
2019040360.tif 000012
【図１１】
2019040360.tif 000013
【図１２】
2019040360.tif 000014
【図１３】
2019040360.tif 000015
【図１４】
2019040360.tif 000016
【図１５】
2019040360.tif 000017
【図１６】
2019040360.tif 000018
【図１７】
2019040360.tif 000019
【図１８】
2019040360.tif 000020
【図１９】
2019040360.tif 000021